(57)【要約】【課題】ロータの逆回転時に発生する振動に起因する諸問題を解決することができると共に、スプール往復動機構の耐久性、並びにロータ逆回転時におけるフリー性に優れた魚釣用スピニングリールを提供する。【解決手段】ハンドル軸５の回転操作に応じて回転しスプール４に釣糸を案内する釣糸案内部を有するロータ３と、先端にスプール４が取り付けられたスプール軸１２と、ハンドル軸５の回転操作運動をスプール軸１２の前後往復動に変換するスプール往復動機構１３と、を備え、スプール往復動機構１３は、操作者の操作に応じて釣糸をスプール４から引き出すロータ３の回転時にスプール軸１３を前後往復動させない状態に切り換える切換部材１８を備えることを特徴とする。【選択図】    図１
2007000012.tif 000002
【特許請求の範囲】
【請求項１】
ハンドル軸の回転操作に応じて回転しスプールに釣糸を案内する釣糸案内部を有するロータと、先端にスプールが取り付けられたスプール軸と、前記ハンドル軸の回転操作運動を前記スプール軸の前後往復動に変換するスプール往復動機構と、を備え、前記スプール往復動機構は、操作者の操作に応じて釣糸をスプールから引き出す前記ロータの回転時に前記スプール軸を前後往復動させない状態に切り換える切換部材を備えることを特徴とする魚釣用スピニングリール。
【請求項２】
ハンドル軸の回転操作に応じて回転しスプールに釣糸を案内する釣糸案内部を有するロータと、先端にスプールが取り付けられたスプール軸と、釣糸をスプールに巻回するロータ正回転時に前記スプール軸を前後往復動させる一方、釣糸をスプールから引き出すロータ逆回転時に前記スプール軸を前後往復動させないように動力伝達を行う一方向クラッチを有するスプール往復動機構と、を備え、前記スプール往復動機構は、操作者の操作に応じてロータ逆回転時に前記スプール軸を前後往復動させる状態に切り換える切換部材を備えることを特徴とする魚釣用スピニングリール。
【請求項３】
前記スプール往復動機構は、前記ハンドル軸の回転操作に応じて回転しその周面に螺旋溝が形成されたウォームシャフトと、前記スプール軸の一端に固定され前記螺旋溝に係合する係合ピンを有する摺動子と、前記ハンドル軸の回転を前記ウォームシャフトに伝達するウォームギヤと、を備え、前記一方向クラッチを前記ウォームシャフトとウォームギヤとの連結部分に配設すると共に、前記切換部材は、前記ウォームシャフトとウォームギヤとの連結状態を切り換えることでロータ逆回転時に前記スプール軸を前後往復動させる状態に切り換えることを特徴とする請求項２に記載の魚釣用スピニングリール。
【発明の詳細な説明】
【技術分野】
【０００１】
本発明は、魚釣用スピニングリールに関し、特に、ハンドルの回転操作運動を、スプールの前後往復動に変換するスプール往復動機構をリール本体内に設けた魚釣用スピニングリールに関する。
【背景技術】
【０００２】
一般に、魚釣用スピニングリールは、ハンドルの回転操作で釣糸案内部を有するロータを回転させると共に、ハンドルの回転運動をリール本体内部に設けたスプール往復動機構により前後動方向に変換することで前後往復動するスプールに、ロータの釣糸案内部を介して釣糸が巻回される構成を有している。
【０００３】
従来、このような魚釣用スピニングリールにおいて、リール本体に上方に向けて牽引可能に取り付けられた操作レバーの牽引操作や、リール本体の後部に設けた操作具の回転操作により、魚のヒットに伴う釣糸の繰り出しによって逆回転するロータに制動力を付与するロータ制動装置を備え、ロータの逆回転をフリーに行わせる一方、操作者の回転操作等により魚とのやり取りを可能とするものが知られている（例えば、特許文献１及び特許文献２参照）。
【特許文献１】実公平１−２０８５８号公報
【特許文献２】実公平１−３９１９４号公報
【発明の開示】
【発明が解決しようとする課題】
【０００４】
しかしながら、このような魚釣用スピニングリールにおいては、ロータの逆回転に連動してスプールが高速で前後往復動することとなる。このため、この前後往復動に応じて発生する振動が、操作者に不快感を与えると共に、釣糸を介して魚に違和感を与えて魚を暴れさせ、魚を取り逃がしたり釣糸を切断したりする原因となり、また、リール本体のネジ締結部に伝わってネジの緩みの原因となるという問題がある。
【０００５】
また、ロータの逆回転に連動してスプールが高速で前後往復動するので、スプール往復動機構における変換係合部（例えば、ウォームシャフトとピン係合部や、係合突起と係合溝）の磨耗や、前後往復動の方向転換時の抵抗発生によるロータ逆回転時のフリー性の劣化を引き起こす原因となるという問題がある。
【０００６】
本発明は、上記した問題に鑑みて為されたものであり、ロータの逆回転時に発生する振動に起因する諸問題を解決することができると共に、スプール往復動機構の耐久性、並びにロータ逆回転時におけるフリー性に優れた魚釣用スピニングリールを提供することを目的とする。
【課題を解決するための手段】
【０００７】
上記した目的を達成するために、本発明に係る魚釣用スピニングリールは、ハンドル軸の回転操作に応じて回転しスプールに釣糸を案内する釣糸案内部を有するロータと、先端にスプールが取り付けられたスプール軸と、ハンドル軸の回転操作運動をスプール軸の前後往復動に変換するスプール往復動機構と、を備え、スプール往復動機構は、操作者の操作に応じて釣糸をスプールから引き出すロータの回転時にスプール軸を前後往復動させない状態に切り換える切換部材を備えることを特徴とする。
【０００８】
上記した構成の魚釣用スピニングリールによれば、操作者の操作に応じて切換部材が、釣糸をスプールから引き出すロータの回転時にスプール軸を前後往復動させない状態に切り換えることから、スプールの前後往復動に応じて発生していた振動を防止することができるので、振動に伴う操作者における不快感を除去すると共に、魚へ与える影響を低減することを通じて釣果を向上させることが可能となる。
【０００９】
また、釣糸をスプールから引き出すロータの回転時にスプール軸の前後往復動が防止されることから、スプール往復動機構の前後往復動に変換する部材の磨耗を回避することができるので、スプール往復動機構の耐久性に優れたリールを提供することができる。また、スプールの前後往復動の方向転換時の抵抗発生によりロータの逆回転時におけるフリー性が劣化する事態を回避することができるので、ロータ逆回転時におけるフリー性に優れたリールを提供することができる。
【００１０】
さらに、切換部材によって、操作者の操作に応じて釣糸をスプールから引き出すロータの回転時にスプール軸を前後往復動させる状態とさせない状態とに切り換えられることから、例えば、釣場の状況（魚の種類、大きさや数量等）や釣りの方法等に応じて選択的にスプールの前後動を切り換えることができるので、釣り場の状況等に応じて変化する操作者の様々な要求に幅広く対応することが可能となる。
【００１１】
また、上記した目的を達成するために、本発明に係る魚釣用スピニングリールは、ハンドル軸の回転操作に応じて回転しスプールに釣糸を案内する釣糸案内部を有するロータと、先端にスプールが取り付けられたスプール軸と、釣糸をスプールに巻回するロータ正回転時に前記スプール軸を前後往復動させる一方、釣糸をスプールから引き出すロータ逆回転時に前記スプール軸を前後往復動させないように動力伝達を行う一方向クラッチを有するスプール往復動機構と、を備え、前記スプール往復動機構は、操作者の操作に応じてロータ逆回転時に前記スプール軸を前後往復動させる状態に切り換える切換部材を備えることを特徴とする。
【００１２】
上記した構成の魚釣用スピニングリールにおいても、操作者が切換部材によりスプール往復動機構の状態を切り換えていない場合においては、スプール往復動機構が、釣糸をスプールから引き出すロータの回転時にスプール軸を前後往復動させないことから、スプールの前後往復動に応じて発生していた振動を防止することができるので、振動に伴う操作者における不快感を除去すると共に、魚へ与える影響を低減することを通じて釣果を向上させることが可能となる。
【００１３】
また、釣糸をスプールから引き出すロータの回転時にスプール軸の前後往復動が防止されることから、スプール往復動機構の前後往復動に変換する部材の磨耗を回避することができるので、スプール往復動装置の耐久性に優れたリールを提供することができる。また、スプールの前後往復動の方向転換時の抵抗発生によりロータの逆回転時におけるフリー性が劣化する事態を回避することができるので、ロータ逆回転時におけるフリー性に優れたリールを提供することができる。
【００１４】
さらに、操作者の操作に応じて切換部材が、釣糸をスプールから引き出すロータ逆回転時にスプール軸を前後往復動させる状態に切り換えることから、スプールの前後往復動に応じて発生する振動を防止する必要がない場合にまでスプール軸の前後往復動を規制することが回避され、例えば、釣場の状況（魚の種類、大きさや数量等）や釣りの方法等に応じて選択的にスプールの前後往復動の有無を切り換えることができるので、釣り場の状況等に応じて変化する操作者の様々な要求に幅広く対応することが可能となる。
【００１５】
上記構成において、スプール往復動機構は、ハンドル軸の回転操作に応じて回転しその周面に螺旋溝が形成されたウォームシャフトと、スプール軸の一端に固定され螺旋溝に係合する係合ピンを有する摺動子と、ハンドル軸の回転をウォームシャフトに伝達するウォームギヤと、を備え、前記一方向クラッチを前記ウォームシャフトとウォームギヤとの連結部分に配設すると共に、前記切換部材は、前記ウォームシャフトとウォームギヤとの連結状態を切り換えることでロータ逆回転時に前記スプール軸を前後往復動させる状態に切り換えるようにしても良い。この場合には、操作者の切換え操作に応じてウォームシャフトとウォームギヤとの連結状態を切り換えることでロータ逆回転時にスプール軸を前後往復動させる状態に切り換えるので、一方向クラッチの作用に関わらず、ロータ逆回転時に、確実にスプール軸を前後往復動させる状態に切り換えることが可能となる。
【発明の効果】
【００１６】
本発明によれば、ロータの逆回転時に発生する振動に起因する諸問題を解決することができると共に、スプール往復動機構の耐久性、並びにロータ逆回転時におけるフリー性に優れた魚釣用スピニングリールが得られるようになる。
【発明を実施するための最良の形態】
【００１７】
以下、図面を参照しながら本発明の実施形態について説明する。
【００１８】
図１は、本発明の一実施形態に係る魚釣用スピニングリールの全体的な構成を示している。
【００１９】
図１に示すように、本発明に係る魚釣用スピニングリールのリール本体１には、釣竿に装着されるリール脚２が一体形成されており、その前方には回転可能に支持されたロータ３と、ロータ３の回転運動と同期して前後動可能に支持されたスプール４が配設されている。
【００２０】
ロータ３は、スプール４の周囲を回転する一対の腕部３ａを備えており、各腕部３ａの夫々の前端部には、ベール３ｂの基端部を取り付けたベール支持部材３ｃが釣糸巻取り位置と釣糸放出位置との間で回動自在に支持されている。なお、ベール３ｂの一方の基端部は、ベール支持部材３ｃに一体的に設けられた釣糸案内部３ｄに取り付けられている。
【００２１】
リール本体１内には、ハンドル軸５が回転可能に支持されており、その突出端部には、ハンドル６が取り付けられている。また、ハンドル軸５には、巻取り駆動機構が係合しており、この巻取り駆動機構は、ハンドル軸５に一体回転可能に装着された駆動ギヤ（フェースギヤ）７と、この駆動ギヤ７に噛合すると共にハンドル軸５と直交する方向に延出し、内部に軸方向に延出する空洞部が形成されたピニオン８とを備えている。
【００２２】
ピニオン８は、一対の前後に配置した軸受け９を介してリール本体１内に回転可能に支持されている。また、スプール４側に向けて延出しており、その先端部において、ロータ３が取り付けられている。ピニオン８には、その中間部分に一方向クラッチ１０が取り付けられており、リール本体１の外部に設けられたレバー１１を回動操作することで一方向クラッチ１０を作動させ、ハンドル６（ロータ３）の釣糸繰出し方向の逆回転を防止する公知の逆転防止装置を構成するようになっている。
【００２３】
ピニオン８の内部に形成された空洞部には、ハンドル軸５と直交する方向に延出し、先端側にスプール４を装着したスプール軸（メインシャフト）１２が軸方向に移動可能に挿通されている。また、ピニオン８には、スプール４（スプール軸１２）を前後往復動させるためのスプール往復動機構１３が係合している。
【００２４】
スプール往復動機構１３は、リール本体１内に回転可能に支持され、スプール軸１２と平行に延出するウォームシャフト１４と、スプール軸１２の基端部に抜け止め固定された摺動子１５と、ウォームシャフト１４の端部に取り付けられ、ピニオン８と噛合するウォームギヤ１６とを備えている。ウォームシャフト１４とウォームギヤ１６との間には、ハンドル６の釣糸巻取り方向の回転における回転駆動力のみをウォームシャフト１４に伝達すべく、後述する一方向クラッチ１７が配設されている。また、ウォームギヤ１６よりスプール４側の位置には、操作者の操作に応じてウォームギヤ１６の回転駆動力をウォームシャフト１４に直接伝達するか、一方向クラッチ１７を介して伝達するかを切り換える、後述する切換部材１８が配設されている。
【００２５】
摺動子１５は、スプール軸１２に対して、ビス等によって回り止め固定される本体１５ａを備えており、この本体１５ａにはウォームシャフト１４の外周面に形成された螺旋溝１４ａと係合する係合ピン１５ｂが保持されている。ウォームシャフト１４が回転駆動されると、摺動子１５は、係合ピン１５ｂを介して前後方向に往復駆動される。
【００２６】
このような構成を有する魚釣用スピニングリールにおいて、ハンドル６により巻取り操作を行うと、ロータ３が巻取り駆動機構を介して回転駆動されると共に、スプール４がスプール往復動機構１３を介して前後往復動されるので、釣糸は、釣糸案内部３ｄを介してスプール４の巻回胴部４ａに均等に巻回されるようになっている。
【００２７】
次に、上記したスプール往復動機構１３のウォームギヤ１６内に配設した一方向クラッチ１７の構成及び作用、並びに、切換部材１８の構成及び動作について説明する。図２は、スプール往復動機構１３のウォームギヤ１６周辺の拡大図であり、図３は、図２に示すＡ−Ａ線に沿った断面図である。なお、以下の説明では、図２の左方側からみた状態で時計回り方向の回転を正転と呼び、反時計回り方向の回転を逆転と呼ぶものとする。
【００２８】
操作者がハンドル６を釣糸巻取り方向に回転させると、これに応じて駆動ギヤ７が図２に示す矢印Ｂ方向に回転駆動し、ピニオン８を介してウォームギヤ１６は逆転駆動される。一方、魚による釣糸の繰り出しによりロータ３が逆転駆動されると、これに応じてピニオン８を介してウォームギヤ１６は正転駆動される。
【００２９】
図３に示すように、一方向クラッチ１７は、ウォームギヤ１６の内側に回り止めされた状態で収容される外輪２１と、この外輪２１とウォームシャフト１４との間に配置される転がり部材２２と、この転がり部材２２に一定方向の付勢力を付与するバネ２３と、このバネ２３の付勢力による転がり部材２２の移動を規制する保持部材２４とから構成される。外輪２１には、各転がり部材２２の大きさに応じて楔領域とフリースペースが設けられ、ウォームギヤ１６の回転方向に応じて転がり部材２２が両者間を移動するように構成されている。
【００３０】
具体的には、釣糸巻取り操作に応じてウォームギヤ１６が逆転駆動（図３で反時計回り方向）されると、その駆動力は、一方向クラッチ１７に伝達される。このとき、一方向クラッチ１７の転がり部材２２はバネ２３の付勢力により楔領域に移行するため、ウォームギヤ１６の駆動力を一方向クラッチ１７を介してウォームシャフト１４に伝達する（なお、ウォームシャフト１４は逆転駆動される）。一方、魚による釣糸の繰り出しに応じてウォームギヤ１６が正転駆動（図３で時計回り方向）されると、その駆動力は、一方向クラッチ１７に伝達される。このとき、一方向クラッチ１７の転がり部材２２は、バネ２３の付勢力に抗して外輪２１のフリースペースに移行するため、ウォームギヤ１６の駆動力をウォームシャフト１４に伝達することはない。
【００３１】
このように、ピニオン８と噛合するウォームギヤ１６とウォームシャフト１４との間に一方向クラッチ１７を介在させ、釣糸をスプール４から引き出す方向のロータ３の逆転時における回転駆動力をウォームシャフト１４に伝達しないようにしているので、魚により釣糸が繰り出された場合でもウォームシャフト１４が回転することはない。このため、スプール４が前後往復動することもないので、従来、このスプール４の前後往復動に応じて発生していた振動を防止することが可能となる。この結果、この振動に起因して発生していた諸問題を全て解決することが可能となる。
【００３２】
すなわち、スプール４の前後往復動に応じて発生していた振動による操作者における不快感を除去することができるので、快適なロータ３の逆転による釣糸の繰り出し操作を行うことが可能となる。また、当該振動により釣糸を介して魚に違和感を与えるのを防止することができるので、この違和感により魚を暴れさせ、魚を取り逃がしたり釣糸を切断したりする事態を回避することができる。この結果、魚への影響を極力小さくすることができるので、釣果を向上させることが可能となる。さらに、当該振動によりリール本体１に締結されたネジが緩む事態を回避することができるので、リール本体１のメンテナンス等に要するコストや時間を低減することが可能となる。
【００３３】
また、ロータ３が逆回転した場合でもウォームシャフト１４が回転しないため、スプール往復動機構１３における螺旋溝１４ａと係合ピン１５ｂとが、従来のようにスプール４の前後往復動に応じて磨耗する事態を回避することができるので、当該スプール往復動機構１３の耐久性を向上させることが可能となる。さらに、ロータ３が逆回転した場合でもウォームシャフト１４が回転しないため、スプール４の前後往復動の方向転換時の抵抗発生によりロータ３の逆回転時におけるフリー性が劣化する事態を回避することができるので、快適に釣糸の繰り出し操作を行うことが可能となる。
【００３４】
一方、切換部材１８は、図２に示すように、ウォームギヤ１６よりスプール４側の位置に、ウォームシャフト１４に回り止め固定して取り付けられている。また、ウォームギヤ１６のスプール４側の側面の周方向に複数形成された凹部１６ａに係合する凸部を有する係合部１８ａと、リール本体１の表面に露出し操作者の操作を受け付ける操作部１８ｂと、操作部１８ｂの裏面からリール本体１内に向けて形成された連結部１８ｃの端部が係合（回転可能で軸方向係止）する環状凹部から成る溝部１８ｄと、を有している。なお、操作部１８ｂの裏面には、リール本体１の表面に形成された凹部に入り込むことで操作部１８ｂの現在の位置を弾性的に保持させる凸部１８ｅが形成されている。
【００３５】
また、切換部材１８は、ウォームシャフト１４の軸方向に一定範囲で移動可能にウォームシャフト１４に取り付けられ、操作者による操作部１８ｂの切換操作に応じてウォームシャフト１４に沿って移動可能となっている。ウォームシャフト１４には、切換部材１８よりもスプール４側の位置にバネ１９が取り付けられており、このバネ１９は、切換部材１８の係合部１８ａがウォームギヤ１６の凹部１６ａに係合する方向に付勢している。
【００３６】
このような切換部材１８において、操作者により操作部１８ｂを矢印Ｂ方向に切換操作された場合、バネ１９の付勢力に抗して切換部材１８が前方側（スプール４側）へ移動し、これに伴って係合部１８ａの凸部がウォームギヤ１６の凹部１６ａから退避する。この場合、ウォームシャフト１４とウォームギヤ１６との連結が解除され、ウォームギヤ１６の回転がウォームシャフト１４に伝達されなくなる。このため、ウォームギヤ１６の回転駆動力は、一方向クラッチ１７を介してウォームシャフト１４に伝達されることとなる。なお、図２においては、２点鎖線でウォームシャフト１４とウォームギヤ１６との連結が解除された状態について示している。
【００３７】
このように、ウォームシャフト１４とウォームギヤ１６との連結が解除された状態においては、一方向クラッチ１７の作用により、釣糸をスプール４から引き出す方向のロータ３の逆転時における回転駆動力がウォームシャフト１４に伝達されないので、上述のような効果を得ることが可能となる。すなわち、スプール４の前後往復動に応じて発生していた振動を防止することができ、この振動に起因して発生していた諸問題を全て解決できるという効果を得ることが可能となる。
【００３８】
一方、ウォームシャフト１４とウォームギヤ１６との連結を解除した状態から、操作者により操作部１８ｂが矢印Ｃ方向に切換操作された場合、切換部材１８が後方側（ウォームギヤ１６側）へ移動し、これに伴って係合部１８ａの凸部がウォームギヤ１６の凹部１６ａに進入する。この場合、ウォームシャフト１４とウォームギヤ１６とが連結され、ウォームシャフト１４がウォームギヤ１６と一体的に回転するようになる。このため、ウォームギヤ１６の回転駆動力は、一方向クラッチ１７を介さず、直接ウォームシャフト１４に伝達されることとなる。なお、図２においては、実線でウォームシャフト１４とウォームギヤ１６とが連結された状態について示している。
【００３９】
このように、ウォームシャフト１４とウォームギヤ１６とが連結された状態においては、一方向クラッチ１７の作用に関わらず、ウォームシャフト１４がウォームギヤ１６と一体的に回転する。このため、釣糸をスプールから引き出すロータ逆回転時にスプール４が前後往復動する状態となる。この結果、スプール４の前後往復動に応じて発生する振動を防止する必要がない場合にまでスプール４の前後往復動を規制することが回避され、例えば、釣場の状況（魚の種類、大きさや数量等）や釣りの方法等に応じて選択的にスプール４の前後往復動の有無を切り換えることができるので、釣り場の状況等に応じて変化する操作者の様々な要求に幅広く対応することが可能となる。
【００４０】
以上説明したように本実施の形態に係る魚釣用スピニングリールでは、スプール往復動機構１３に、釣糸をスプール４に巻回するロータ正回転時にスプール軸１２を前後往復動させる一方、釣糸をスプール４から引き出すロータ逆回転時にスプール軸１２を前後往復動させないように動力伝達を行う一方向クラッチ１７を設けると共に、操作者の操作に応じてロータ逆回転時にスプール軸１２を前後往復動させる状態に切り換える切換部材１８を設けている。これにより、操作者が切換部材１８によりスプール往復動機構１３の状態を切り換えていない場合においては、スプール往復動機構１３が、釣糸をスプール４から引き出すロータの回転時にスプール軸１２を前後往復動させないことから、スプール４の前後往復動に応じて発生していた振動を防止することができるので、振動に伴う操作者における不快感を除去すると共に、魚へ与える影響を低減することを通じて釣果を向上させることが可能となる。
【００４１】
また、釣糸をスプール４から引き出すロータ３の回転時にスプール軸１２の前後往復動が防止されることから、スプール往復動機構１３の前後往復動に変換する部材の磨耗を回避することができるので、スプール往復動装置１３の耐久性に優れたリールを提供することができる。また、スプール４の前後往復動の方向転換時の抵抗発生によりロータ３の逆回転時におけるフリー性が劣化する事態を回避することができるので、ロータ逆回転時におけるフリー性に優れたリールを提供することができる。
【００４２】
さらに、操作者の操作に応じて切換部材１８が、釣糸をスプール４から引き出すロータ逆回転時にスプール軸１２を前後往復動させる状態に切り換えることから、スプール４の前後往復動に応じて発生する振動を防止する必要がない場合にまでスプール軸１２の前後往復動を規制することが回避され、例えば、釣場の状況（魚の種類、大きさや数量等）や釣りの方法等に応じて選択的にスプール４の前後往復動の有無を切り換えることができるので、釣り場の状況等に応じて変化する操作者の様々な要求に幅広く対応することが可能となる。
【００４３】
特に、上記実施の形態の魚釣用スピニングリールにおいて、スプール往復動機構１３に、ウォームシャフト１４と、このウォームシャフト１４にハンドル軸１２の回転を伝達するウォームギヤ１６と、を設け、上記一方向クラッチ１７をウォームシャフト１４とウォームギヤ１６との連結部分に配設する。そして、切換部材１８は、ウォームシャフト１４とウォームギヤ１６との連結状態を切り換えることで、ロータ逆回転時にスプール軸１２を前後往復動させる状態に切り換える。このように、操作者の切換え操作に応じてウォームシャフト１４とウォームギヤ１６との連結状態を切り換えることで、ロータ逆回転時にスプール軸１２を前後往復動させる状態に切り換えるので、一方向クラッチ１７の作用に関わらず、ロータ逆回転時に、確実にスプール軸１２を前後往復動させる状態に切り換えることが可能となる。
【００４４】
なお、本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【００４５】
上記実施の形態に係る魚釣用スピニングリールにおいては、スプール往復動装置１３が、釣糸をスプールに巻回するロータ正回転時に前記スプール軸を前後往復動させる一方、釣糸をスプールから引き出すロータ逆回転時に前記スプール軸を前後往復動させないように動力伝達を行う一方向クラッチを有することを前提として、切換部材１８が、操作者の操作に応じてロータ逆回転時にスプール軸１２を前後往復動させる状態に切り換える場合について説明している。しかし、これに限定されず、スプール軸１２における前後往復動の有無を逆にすることが含まれるのは言うまでもない。
【００４６】
すなわち、切換部材１８でウォームシャフト１４とウォームギヤ１６とを連結しておき、通常使用時においてロータ３の正転、逆転に関わらず、スプール軸１２を前後往復動させる一方、操作者の操作に応じて、ロータ逆回転時にスプール軸１２を前後往復動させない状態に切り換えるようにしても良い。この場合においても、操作者の操作に応じて切換部材１８が、釣糸をスプール４から引き出すロータ逆回転時にスプール軸１２を前後往復動させない状態に切り換えることから、スプール４の前後往復動に応じて発生していた振動を防止することができるので、上記実施の形態と同様に、上述した優れた効果を得ることが可能となる。
【００４７】
以上、本発明に係る魚釣用スピニングリールの実施系形態について説明したが、本発明は、上記実施形態に限定されることなく、種々変形することが可能である。上記した実施形態においては、一般的なオープンフェース型の魚釣用スピニングリールについて説明しているが、本発明は、ロータ３の逆転時にスプール４を前後往復動させないようにする必要があるリールであれば、クローズドフェース型のリールにも適用することが可能であり、上述した優れた効果を得ることが可能となる。
【００４８】
特に、魚による釣糸の繰り出しに応じて逆回転するロータ３に制動力を付与するロータ制動装置を備え、意図的にロータ３の逆回転をフリーに行わせる一方、操作者のロータ制動装置に対する操作により魚とのやり取りを可能とする、上述した従来技術の特許文献１（実公平１−２０８５８号公報）に開示された所謂レバーブレーキリールにおいては、上述した優れた効果に加え、更に顕著な効果を得ることが可能となる。
【００４９】
すなわち、レバーブレーキリールにおいては、釣糸を繰り出す量は操作者のロータ制動装置に対する操作に依存することとなるが、本発明を適用することでロータ３の逆転時に発生していた振動が除去されるので、ロータ制動装置に対する操作に集中することが可能となり、魚とのやり取りをより一層楽しみながら魚釣りを行うことが可能となる。
【００５０】
また、以上の説明において、スプール往復動機構１３に配設される一方向クラッチ１７は、上記構成に限定されることなく、他の構成を有する一方向クラッチを適用することが可能である。例えば、ラチェットと爪とを組み合わせて一方向クラッチを構成しても良いし、又、巻バネの締付力を利用して構成するようにしてもよい。このように変更した場合においても、上述した本実施の形態と同様の効果を得ることが可能である。
【産業上の利用可能性】
【００５１】
本発明は、ロータの逆回転時に発生する振動に起因する諸問題を解決することができると共に、スプール往復動機構の耐久性、並びにロータ逆回転時におけるフリー性に優れた魚釣用スピニングリールを提供するものであり、産業上の利用可能性を有する。
【図面の簡単な説明】
【００５２】
【図１】本発明の第１の実施形態に係る魚釣用スピニングリールの全体的な構成を示す図。
【図２】スプール往復動機構のギヤ周辺の拡大図。
【図３】図２に示すＡ−Ａ線に沿った断面図。
【符号の説明】
【００５３】
１  リール本体
３  ロータ
４  スプール
５  ハンドル軸
７  駆動ギヤ
１２  スプール軸
１３  スプール往復動機構
１４  ウォームシャフト
１６  ウォームギヤ
１７  一方向クラッチ
１８  切換部材
【図１】
2007000012.tif 000003
【図２】
2007000012.tif 000004
【図３】
2007000012.tif 000005